(57)【要約】【課題】乗物用シートに使用されるベースに対してバックルを取り付ける際の作業性を良くすること。【解決手段】ベースと、ベースに取り付けられるバックル４と、バックル４をベースに取り付けるために使用される取り付け部材７１と、ベースとバックル４との間に設けられる中間部材７３と、を有する乗物用シートの製造方法であって、バックル４と、取り付け部材７１と、中間部材７３が一体化された組立体５１を設け、当該組立体５１をベースに組み合わせることで、ベースにバックル４を取り付ける。【選択図】図３
2015003575.tif 000002
【特許請求の範囲】
【請求項１】
ベースと、ベースに取り付けられるバックルと、バックルをベースに取り付けるために使用される取り付け部材と、ベースとバックルとの間に設けられる中間部材と、を有する乗物用シートの製造方法であって、
バックルと、取り付け部材と、中間部材が一体化された組立体を設け、
当該組立体をベースに組み合わせることで、ベースにバックルが取り付けられることを特徴とする乗物用シートの製造方法。
【請求項２】
請求項１に記載の乗物用シートの製造方法であって、
ベースと取り付け部材を相対的に回転させることで、組立体をベースに組み合わせることを特徴とする乗物用シートの製造方法。
【請求項３】
請求項１又は２に記載の乗物用シートの製造方法であって、
ベースはバーリング加工が施されており、取り付け部材は螺子部を備えており、取り付け部材をバーリング加工された部位に対して圧入しながら回転させることで、バーリング加工された部位を螺子部により変形させ、組立体をベースに組み合わせることを特徴とする乗物用シートの製造方法。
【発明の詳細な説明】
【技術分野】
【０００１】
本発明は、乗物用シートの製造方法に関する。詳しくは、シートベルトのバックルを備える乗物用シートの製造方法に関する。
【背景技術】
【０００２】
従来から、乗物用シートにシートベルトを設けることが広く知られている。当該シートベルトは、帯状のウェビングに金属製のタングプレートが付設されており、当該タングプレートがバックルに挿入固定可能な構成とされている。当該バックルは乗物用シートのフレームなどに支持されているが、具体的には、バックルのアンカープレートとフレームとをボルトなどにより締結する形態が知られている（特許文献１参照）。
このような形態のものを製造しようとすると、最初にフレーム及びアンカープレートに対してボルトを挿通し、その後、当該ボルトにナットを螺合させることがなされる。通常、ボルトとナットを螺合させる際には、所望の位置までナットを手で回しこみ、仕上げとしてインパクトレンチを使ってボルトを回すようにする。これによりフレームとアンカープレートが相対移動しないように強固に組みつけられる。
【先行技術文献】
【特許文献】
【０００３】
【特許文献１】特許２８７４３３５号公報
【発明の概要】
【発明が解決しようとする課題】
【０００４】
しかしながら、特許文献１に記載された技術にも、なお改良の余地がある。特許文献１に記載の技術においては、フレームに対して、アンカープレートとボルトとナットを一つずつ取り付けていくため、アンカープレートを取り付ける際の組立ての作業効率がよくなかった。また、フレームの両側に手をまわすような状態での作業となるため、作業がしにくくなる恐れがあった。
【０００５】
本発明は、上記した点に鑑みて創案されたものであって、本発明が解決しようとする課題は、乗物用シートに使用されるベースに対してバックルを取り付ける際の作業性を良くすることにある。
【課題を解決するための手段】
【０００６】
上記課題を解決するために、本発明は次の手段をとる。
先ず、第１の発明は、ベースと、ベースに取り付けられるバックルと、バックルをベースに取り付けるために使用される取り付け部材と、ベースとバックルとの間に設けられる中間部材と、を有する乗物用シートの製造方法であって、バックルと、取り付け部材と、中間部材が一体化された組立体を設け、当該組立体をベースに組み合わせることで、ベースにバックルが取り付けられることを特徴とする。
【０００７】
この第１の発明によれば、ベースと、ベースに取り付けられるバックルと、バックルをベースに取り付けるために使用される取り付け部材と、ベースとバックルとの間に設けられる中間部材と、を有する乗物用シートを製造する際に、バックルと、取り付け部材と、中間部材が一体化された組立体を設け、当該組立体をベースに組み合わせることで、ベースにバックルが取り付けられるという手順を踏むため、バックルを所定の位置に固定配置する際に、ばらばらの部品を一から組立てる必要性が無く、バックルをベースに対して取り付けるための作業性が改善される。また、組立体を別の工程で組立てておけば、バックルを取り付ける作業時には、当該組立体をベースに組み合わせればよいため、バックルをベースに取り付ける際の作業時間の短縮を行うことが可能となる。また、バックルや取り付け部材が一体化しているため、バックルをベースに取り付ける作業時に各々の部材が分離してしまうことが抑制されるため、部品の取り付けを適切に行うことが容易となる。
【０００８】
第２の発明は、第１の発明において、ベースと取り付け部材を相対的に回転させることで、組立体をベースに組み合わせることを特徴とする。
【０００９】
この第２の発明によれば、ベースと取り付け部材を相対的に回転させることで、組立体をベースに組み合わせるため、ベースに対してバックルを取り付ける際の作業を、比較的容易に行うことが可能となる。
また、ベースと取り付け部材を相対的に回転させることで、組立体をベースに取り付けるため、組み合わせて使用される取り付け用の部材を各々の手に持つ必要性が無いため、作業性を向上させることが可能である。例えば、片方の手でベースを持ち、もう片方の手で組立体を持つようにして作業を行うことも可能となる。
【００１０】
第３の発明は、第１又は第２の発明において、ベースはバーリング加工が施されており、取り付け部材は螺子部を備えており、取り付け部材をバーリング加工された部位に対して圧入しながら回転させることで、バーリング加工された部位を螺子部により変形させ、組立体をベースに組み合わせることを特徴とする。
【００１１】
この第３の発明によれば、ベースはバーリング加工が施されており、取り付け部材は螺子部を備えており、取り付け部材をバーリング加工された部位に対して圧入しながら回転させることで、バーリング加工された部位を螺子部により変形させ、組立体をベースに組み合わせるため、ベースを構成する部材自身が取り付け部材の螺子と噛み合う部分となり、ナットなどの部品を必要としない。したがって、乗物用シートの部品点数を抑えることが可能となり得る。
【発明の効果】
【００１２】
本発明によれば、乗物用シートに使用されるベースに対してバックルを取り付ける際の作業性を良くすることが可能となる。
【図面の簡単な説明】
【００１３】
【図１】本発明が適用された乗物用シートの斜視図である。
【図２】図１のＩＩ−ＩＩ断面からみたバックル回りの構造を示した図である。
【図３】組立体をバックルブラケットに取り付ける前の状態を示す図である。
【発明を実施するための形態】
【００１４】
以下に、本発明を実施するための形態について、適宜図面を用いながら説明する。
本実施の形態の乗物用シート１は、車両用シートであり、ヘッドレスト(図示せず)とシートバック３とシートクッション２を備えている。シートバック３とシートクッション２には、主として金属で構成されたフレームを骨格として採用している。
シートクッション２のフレームであるクッションフレーム２０は、その左右位置において前後方向に延びるロアアーム２１を有している。当該ロアアーム２１は、その後側において略円筒形状のリアロッド２５が回動可能に接続されている。また、その前側において略円筒形状のフロントロッド２３が回動可能に接続されている。また、ロアアーム２１の前側部にはフロントパネル２７が接続されており（図１参照）、ロアアーム２１の後端には図示しないリクライニングプレートが接続されている。このようにロアアーム２１やリアロッド２５などが接続されることによりクッションフレーム２０が形成されている。
また、シートクッション２のフレームであるクッションフレーム２０は、シートバック３のフレームであるバックフレーム（図示せず）と連結されており、脚部７７を介してスライドレール機構６に取り付けられている。また、スライドレール機構６のアッパレール６１には、バックル４と接続されるバックルブラケット４５を備えている。バックルブラケット４５は、締結部材を介してアッパレール６１と接続されている。本実施の形態においては当該バックルブラケット４５が、ベースである。
図３に示すように、バックルブラケット４５には取り付け部材７１を挿入可能な取り付け孔７５が設けられている。また、バックル４は取り付け部材７１を回動中心とした回動方向に移動することを可能としながら、バックルブラケット４５に対して固定される。そのため、バックル４のアンカープレート部４１は取り付け部材７１の頭部とバックルブラケット４５との間に挟み込まれるように配置するが、取り付け部材７１である段付ボルトの段付部７１ａａがバックル４の貫通孔４１ａに嵌るように配置される。また、バックルブラケット４５とアンカープレート部４１との間には、中間部材７３としてワッシャー７３ａを配置している。
このような構成とすることで、ベースであるバックルブラケット４５に対してバックル４が回動可能に固定された乗物用シート１を設けることが可能となる。
当該構成を形成するために、本発明においてはバックル４を取り付けるに際し、概略、ベースと、ベース以外の部位と、に区分けし、ベース以外の部位を組立体５１として組立てたものをベースに組み合わせる方法を採用している。
【００１５】
次に、バックル４と取り付け部材７１と中間部材７３により組立体５１を形成する方法について説明する。なお、組立体５１はバックル４と、取り付け部材７１と中間部材７３とを備えている。特に、取り付け部材７１と中間部材７３との間にバックル４を挟みこみ、バックル４が取り付け部材７１と容易に分離しないように構成されている。
本実施の形態においては、螺子径よりも大きな径の段差部７１ａａを備えた段付ボルトを、取り付け部材７１として採用している。また、中間部材７３としてワッシャー７３ａを採用している。
バックル４は、図示しないタングプレートを挿入可能な挿入穴４３ａを備える差込部４３と、金属製のアンカープレート部４１を備えている。
アンカープレート部４１には、貫通孔４１ａが設けられており、取り付け部材７１である取り付けボルト７１ａが挿入可能となっている。
本実施の形態の組立体５１を設けるには、アンカープレート部４１の貫通孔４１ａに取り付けボルト７１ａを挿入して、当該貫通孔４１ａに取り付けボルト７１ａの段差部７１ａａが嵌る状態にした後、取り付けボルト７１ａの螺子部７１ａｂ側から、中間部材７３であるワッシャー７３ａを取り付ける。
本実施の形態においては、当該ワッシャー７３ａは全体的に平たい面を有する平ワッシャーではなく、貫通軸方向に曲げられたような形状のウェブワッシャーを使用している。また、当該ワッシャー７３ａはその径方向内向きに突状の部位があり（図示せず）、当該突状の部位が取り付けボルト７１ａに押し付けられることにより、摩擦力により係止されるものである。なお、取り付けボルト７１ａとバックル４とワッシャー７３ａを組みつけて一体化した組立体５１とするのは、組立ての効率を図ることが目的であるため、取り付けボルト７１ａとワッシャー７３ａはそれほど強固に固定されている必要性は無い。組立作業時に簡単に分離してしまわなければ良い。
【００１６】
次に、組立体５１が取り付けられるバックルブラケット４５に関して説明する。
本実施の形態のバックルブラケット４５においては、平板に設けた孔部に対してプレス加工を施し、略円筒形状に切り起こした突出部４５ａを形成するバーリング加工を行うことで、取り付け孔７５を形成する。当該取り付け孔７５が取り付けボルト７１ａの螺子部７１ａｂと噛み合わせる部位である。
なお、バーリング加工を行った後で、突出部４５ａの内周面に螺子切り加工を行うことで雌螺子部分を形成することも可能であるが、本実施の形態においては、当該螺子切り加工を行っていない。取り付けボルト７１ａの螺子径よりもやや小さな内周径となるようにバーリング加工を行っている。当該構成の場合、取り付けボルト７１ａを取り付け孔７５に対して回転させながら圧入して、螺子部７１ａｂが突出部４５ａの内周面を変形させることで、取り付けボルト７１ａとバックルブラケット４５が噛み合うように係合させている（図２参照）。
バックルブラケット４５は締結部材を用いてアッパレール６１に取り付けられる部材であり、スライドレール機構６へ取り付けた際に、取り付け孔７５の中心軸や取り付け部材７１の中心軸が水平方向となるように取り付けられている。また、バックルブラケット４５はアッパレール６１の上面にかぶせるように配置しており、バックルブラケット４５のうち、アッパレール６１と接する面の部分と組立体５１と接する面の部分は略直行するように位置している。なお、本実施の形態においては、アッパレール６１と接する面の部分と組立体５１と接する面の部分は接しておらず、垂直断面視ハの字状の位置関係となっており、当該部分同士の間の領域は傾斜面を形成するように接続されている（図２参照）。
当該形状とすることにより、バックルブラケット４５の下方の領域を有効に使用することができる。また、図２に二点鎖線で示したような位置にコンソールボックス８１を配置することが可能となる。
【００１７】
本実施例の乗物用シート１の製造方法であれば、組立体５１に備えられた取り付け部材７１をベースに対して回転させることにより、ベースに対してバックル４を取り付けることが可能であるため、ベースの両側面に手を位置させる必要性が無く、ベースの片側面からの作業で済むため、取り付け作業の効率がよくなる。
また、組立体５１をベースに対して押圧しながらねじ込むことで、組立体５１とベースが噛み合う構造であるため、ナットが不要であり、部品点数の削減となる。
また、バックル４をベースに取り付ける際にかかる時間を減らすことが可能である。
また、バックル４を固定するために使用する取り付け部材７１の螺子部７１ａｂの先端が乗物用シート１の内側に向く構成である為、取り付け部材７１の螺子部７１ａｂの先端が乗物用シート１の外側に向くように配置された場合に比べて、乗物用シート１の外側のスペースを確保することが可能となり得る。よって、コンソールボックス８１の大型化に貢献しうる。
また、中間部材７３としてウェブワッシャーを採用しているため、ワッシャー７３ａが適切なスペーサーとして機能する。また、平ワッシャーに比べて隣接する部材との接触面積を抑制することが可能であるため、バックル４を適切な状態で回動させることが可能である。
また、ワッシャー７３ａを取り付けボルト７１ａにかみこませることで、ワッシャー７３ａと取り付けボルト７１ａが相対移動しないように固定しているため、簡易に固定可能である。また、取り付けボルト７１ａとワッシャー７３ａを組み合わせる作業が組立体５１を形成する作業となるため、作業工数が増加することを抑制することが可能となる。また、中間部材７３としてワッシャー７３ａを採用しているため、中間部材７３の厚みが薄く、乗物用シート１の外側のスペースを確保しやすくなる。
【００１８】
以上、１つの実施例について説明したが、本発明は、上記実施形態のほか、その他各種の形態で実施可能なものである。
例えば、バックルはアッパレールに固定されたブラケットと取り付けられているものとせずに、アッパレールに直接バックルを取り付けることや、ロアアームなどのクッションフレームにバックルを取り付けるものとすることも可能である。また、ロアアームなどのクッションフレームに対して、ブラケットを介してバックルを取り付けることも可能である。
また、バーリング加工することでベースを形成せずとも、貫通した孔部を有する板状体に雌螺子を溶接することで取り付け部材と螺合可能なベースを形成することも可能である。
また、取り付け部材は、ボルトなどのように螺子部があるもので無くてもよく、例えば、ベースと嵌めあわされるような形状とすることも可能である。
また、中間部材はワッシャーで無くとも良く、円筒形状の弾性体などを採用することも可能である。
また、ワッシャーは取り付けボルトの長手方向に押し付けて係止させることだけでなく、ワッシャーの内側に設けた突状の部位をボルトの螺子部に対して螺合させることも可能である。
また、組立体は、中間部材とバックルと取り付け部材の他にも各種部材が一体化されたものとすることが可能である。
また、乗物としては、車両であることに限らず、飛行機やヘリコプターなど空中を飛行する乗物や、船舶や潜水艇など海面や海中などを移動する乗物としてもよい。
【符号の説明】
【００１９】
１      乗物用シート
２      シートクッション
３      シートバック
４      バックル
６      スライドレール機構
２０    クッションフレーム
２１    ロアアーム
２３    フロントロッド
２５    リアロッド
２７    フロントパネル
４１    アンカープレート部
４３    差込部
４５    バックルブラケット
５１    組立体
６１    アッパレール
７１    取り付け部材
７１ａ  取り付けボルト
７３    中間部材
７３ａ  ワッシャー
７５    取り付け孔
８１    コンソールボックス
【図１】
2015003575.tif 000003
【図２】
2015003575.tif 000004
【図３】
2015003575.tif 000005